(57)【要約】      （修正有）【課題】頭髪を束ねたゴム紐を隠しつつ高い装飾性を発揮することができ、また容易に使用可能な髪止め具を提供する。【解決手段】髪止め具Ｐは、髪を束ねるための環状のゴム紐３と、使用時に環状を成し、ゴム紐３で束ねた髪の部位を全周に亘って覆う装飾体１０と、を備える。装飾体１０は可撓性を有する材料から帯状に形成され、ゴム紐３が装飾体の使用時の内周面側に固定される。装飾体１０の長手方向の両端部１０ｃ、１０ｄに、一対の磁石３１，３１が、相互に磁力吸着可能に、使用時に外側から視認できない態様で内蔵される。【選択図】図３
0003209354.tif 000002
【実用新案登録請求の範囲】
【請求項１】
髪を束ねるための環状のゴム紐と、
使用時に環状を成し、前記ゴム紐で束ねた髪の部位を全周に亘って覆う装飾体と、を備える髪止め具であって、
前記装飾体が、可撓性を有する材料から帯状に形成されて、前記ゴム紐が前記装飾体の使用時の内周面側に固定され、
前記装飾体の長手方向の両端部に、一対の磁石が、相互に磁力吸着可能に、使用時に外側から視認できない態様で設けられる
ことを特徴とする髪止め具。
【請求項２】
前記一対の磁石が、前記装飾体の前記両端部におけるそれぞれの端縁が突合わせ状態で係合する態様で、前記装飾体の前記両端部に設けられることを特徴とする請求項１に記載の髪止め具。
【請求項３】
前記装飾体が、前記両端部における前記両端縁の幅寸法を同一とし、前記一対の磁石が、前記両端縁が係合時に一致するような態様で設けられることを特徴とする請求項２に記載の髪止め具。
【請求項４】
前記一対の磁石が、前記装飾体の前記両端部が重なり状態で係合する態様で、前記装飾体の前記両端部に設けられることを特徴とする請求項１に記載の髪止め具。
【考案の詳細な説明】
【技術分野】
【０００１】
本考案は環状のゴム紐で頭髪を束ねた上で頭髪を装飾することができる髪止め具に関する。
【背景技術】
【０００２】
長い頭髪を環状のゴム紐で束ねる際、ゴム紐がそのまま見えてしまっては外観的に優雅さに欠けるので、ゴム紐で束ねた髪の部位の外周側に別体のリボン等のヘアアクセサリを配置させて、ゴム紐を隠しつつ装飾する等のことが従来行われていた。また、ゴム紐で束ねた髪の部位の外観の向上を目的に、ゴム紐と、ゴム紐を隠すための装飾体とを一体化させた髪止め具も知られている。既知の髪止め具５０は、図６に示すような、剛性を有する素材から半割円筒形状に形成される1対の装飾体５７，５７のそれぞれの周方向の一端部５７ａ，５７ａ同士をねじりばね材５５で結合し、一対の装飾体５７，５７の他端部５７ｂ，５７ｂ同士が閉まる方向に付勢されるように構成されるものであった。こうした髪止め具５０では、着用時に、ゴム紐５３は、ねじりばね材の付勢力により環状となった装飾体５７，５７に隠れて見えなくなるものの、一対の装飾体５７，５７を結合するばね材５５が外側に露出した構造となっているため、ばね材５５が目立つ位置に配置されてしまうことがあった。ばね材５５が目立たないようにするには、ばね材５５の位置を、他人から見えない髪の裏側に来るように、髪止め具５０の周方向における配置を調整する必要があるが、髪を後頭部で結ぶ場合等には、見えない位置であるため、調整は容易ではなかった。
【考案の概要】
【考案が解決しようとする課題】
【０００３】
本考案は、上述した問題を解決するものであり、頭髪を束ねたゴム紐を隠しつつ高い装飾性を発揮することができ、また容易に使用可能な髪止め具を提供することを目的とする。
【課題を解決するための手段】
【０００４】
本考案に係る髪止め具は、髪を束ねるための環状のゴム紐と、使用時に環状を成し、前記ゴム紐で束ねた髪の部位を全周に亘って覆う装飾体と、を備える。装飾体は可撓性を有する材料から帯状に形成され、ゴム紐が装飾体の使用時の内周面側に固定される。装飾体の長手方向の両端部に、一対の磁石が、相互に磁力吸着可能に、使用時に外側から視認できない態様で設けられる。
【０００５】
本考案に係る髪止め具では、髪を束ねたゴム紐を見えないように隠すための装飾体が、帯状の両端部に設けられる一対の磁石を、該両端部相互を係合させて環状にするための係合手段としている。この髪止め具では、係合手段としてねじりばね材を使用した従来の髪止め具におけるのと異なり、着用時に装飾体の両端部の係合手段としての磁石が視認されないように設けられているので、装飾体がゴム紐を隠しつつ、高い装飾性を発揮することができ、また、着用後に、ばね材を目立たない位置に移動させるために髪止め具の周方向の配置を調整したりする必要もない。また一対の磁石は自然に相互に磁力吸着するので、使用者が後頭部で髪を束ねて結ぶ場合にも、容易に装着でき、磁力以上の負荷をかければ装飾体の両端部を容易に離すことができるから、着脱が容易である。
【０００６】
上記構成の髪止め具においては、装飾体の両端部が重なり状態で係合する態様で、一対の磁石を装飾体に設けることとしてもよい。
【０００７】
あるいは、一対の磁石を、装飾体の両端部におけるそれぞれの端縁が突合わせ状態で係合する態様で配置してもよい。この構成では、装飾体が、両端縁の継ぎ目がほとんど識別できない状態で係合して環状を成すので、より優れた美観を呈し、またそのため一層、着用後に髪止め具の周方向の配置を調整する等の必要がない。
【０００８】
またこのとき、装飾体の両端縁の幅寸法を同一とし、一対の磁石を、両端縁が係合時に一致するような態様で設けることとすれば、装飾体の両端縁の継ぎ目が一層識別できない態様となり、一層優れた美観を呈する。
【図面の簡単な説明】
【０００９】
【図１】本実施形態の髪止め具の平面図である。
【図２】図１のII−II線における概略断面図である。
【図３】本実施形態の髪止め具における、装飾体の開状態と閉状態とを示す斜視図である。
【図４】本実施形態の髪止め具の使用状態を示す図である。
【図５】他の実施形態の髪止め具の部分概略断面図である。
【図６】従来の髪止め具を示す斜視図である。
【考案を実施するための形態】
【００１０】
以下に本考案の望ましい実施形態を図面に基づいて説明する。
【００１１】
図１から図３に示す本考案に係る髪止め具Ｐは、髪を束ねるための環状ゴム紐３と、環状ゴム紐３で束ねた髪の部位を全周に亘って覆い、装飾する装飾体１０と、を備える。
【００１２】
環状ゴム紐３（以下、単にゴム紐３ということがある）は、天然ゴム等からなるゴム糸を、伸縮性を有するナイロン等の糸を組む等して被覆してなるゴム紐を、環状にしたものである。
【００１３】
装飾体１０は、ゴム紐３で束ねた髪の部位を全周に亘って覆い隠し、外観を向上させるもので、可撓性を有する材料から帯状に形成されるものである。本実施形態では、装飾体１０は、全長に亘って均一の幅の帯状に形成される。装飾体１０は、後述するように使用時にはその長手方向の両端部１０ｃ，１０ｄが相互に係合して環状をなすように構成され、使用時の環状の外表面１０ａ側を装飾面１５とし、反対側を内周面１０ｂとする。本実施形態の装飾体１０は、可撓性を有するポリエステル等の合成樹脂製等の略長方形板状の芯材２７を、少なくとも外表面１０ａ（すなわち、装飾面１５）側において装飾性を発揮する布帛製の被覆材２０で全面的に覆ってなるものである。さらに具体的には、実施形態の装飾体１０は、使用時の外表面１０ａ側となる装飾面１５に装飾性を有する被覆材２０を配置し、内周面１０ｂには別布である裏被覆材２５を配置して、両方の被覆材で全面を被覆して形成している。
【００１４】
環状ゴム紐３は、装飾体１０の内周面１０ｂに固定されている。実施形態では、環状ゴム紐３は、装飾体１０の内周面１０ｂの幅方向の中央付近であって、長手方向の中央付近の位置に、裏被覆材２５と同色の素材からなる押さえ布２９に上から押さえられて、押さえ布２９が両端を装飾体１０の内周面１０ｂに接着または／及び縫製等により固定されることにより、装飾体１０の内周面１０ｂに固定されている。
【００１５】
装飾体１０は、使用時に長手方向の両端部１０ｃ，１０ｄ相互が係合して環状を成すように、両端部１０ｃ，１０ｄのそれぞれに一対の磁石３１,３１を内蔵する。磁石３１,３１は、本実施形態では長方形板状のものが使用され、装飾体１０の両端部１０ｃ，１０ｄそれぞれにおける端縁１０ｃｅ，１０ｄｅが突合わせ状態で係合するように、両端縁１０ｃｅ，１０ｄｅにおいてＮ極とＳ極が対向する態様で装飾体１０に配置されている。具体的には、図２に示すように、磁石３１，３１は、装飾体１０の両端縁１０ｃｅ，１０ｄｅにおいて芯材２７を両側から挟む態様で配置され、その状態で芯材２７と磁石３１，３１が被覆材２０と裏被覆材２５とで被覆されて装飾体１０が形成されている。このため、磁石３１,３１は、外側からは視認できない状態で装飾体１０に内蔵されることとなる。また磁石３１，３１は、装飾体１０の幅方向における寸法を相互に同じとし、同一の幅寸法を有する装飾体１０の両端縁１０ｃｅ，１０ｄｅにおける相互に一致する幅方向の位置に配置されている。
【００１６】
なお、本実施形態では、磁石３１，３１は、磁石３１，３１を覆う部位の被覆材２０及び／または裏被覆材２５の厚さが厚い場合でも装飾体１０の両端部１０ｃ，１０ｄが安定して相互に磁力吸着するように、強力な磁力を有するネオジム磁石を使用している。
【００１７】
上述の構成の髪止め具Ｐを使用する場合には、まず髪を手で束ねて、環状ゴム紐３で結ぶ。この時、装飾体１０は、両端部１０ｃ，１０ｄが非係合の開状態でも、係合した環状の閉状態でも構わない。ゴム紐３を結んだ後、装飾体１０が閉状態の場合は両端部１０ｃ、１０ｄを離し、開状態の場合はそのまま、装飾体１０がゴム紐３で結んだ（束ねた）髪の部位の外周を覆うように配置すれば、両端部１０ｃ，１０ｄに内蔵された磁石３１，３１が相互に磁力吸着し、装飾体１０が環状となってゴム紐３を隠しつつ、束ねた髪の部位を装飾する。
【００１８】
上述の髪止め具Ｐでは、髪を束ねた環状ゴム紐３を見えないように隠すための装飾体１０が、可撓性を有する材料から帯状に形成され、長手方向の両端部１０ｃ，１０ｄに、相互に磁力吸着可能な一対の磁石３１，３１を外側からは視認できないように内蔵する構成として、この磁石３１，３１を、帯状の両端部１０ｃ，１０ｄ相互を係合させて環状にするための係合手段としている。この髪止め具Ｐでは、係合手段としてねじりばね材５５を使用した従来の髪止め具５０におけるのと異なり、着用時に係合手段としての磁石３１，３１が装飾体１０に内蔵されて視認されないので、ゴム紐３を隠しつつ、高い装飾性を発揮することができ、また、着用後に、ばね材を目立たない位置に移動させるために髪止め具Ｐの周方向の配置を調整したりする必要もない。また磁石３１，３１は自然に相互に磁力吸着するので、使用者が後頭部で髪を束ねて結ぶ場合にも容易に装着でき、磁力以上の負荷をかければ装飾体１０の両端部１０ｃ，１０ｄを容易に離すことができるから、着脱が容易である。
【００１９】
実施形態の髪止め具Ｐでは、一対の磁石３１，３１が、装飾体１０の両端部１０ｃ，１０ｄにおけるそれぞれの端縁１０ｃｅ，１０ｄｅが使用時に突合わせ状態で係合する態様で、装飾体１０の両端部１０ｃ，１０ｄに配置されている。この構成では、装飾体１０が、両端縁１０ｃｅ，１０ｄｅの継ぎ目がほとんど識別できない状態で係合して環状を成すので、より優れた美観を呈し、またそのため一層、着用後に髪止め具の周方向の配置を調整する等の必要がない。
【００２０】
さらに本実施形態では、装飾体１０が、全長に亘って均一の幅寸法を有する帯状に形成され、両端縁１０ｃｅ，１０ｄｅの幅寸法を同一としている。そして装飾体１０の幅方向における寸法を相互に同じとした一対の磁石３１,３１が、装飾体１０の両端縁１０ｃｅ，１０ｄｅにおける相互に一致する幅方向の位置において、Ｎ極とＳ極が対向する態様で配置されている。この構成では、吸着状態が最も安定する状態となるように、ぴったり重なる状態で相互に吸着する磁石の性質のため、図３及び図４に示すように、装飾体１０の両端縁１０ｃｅ，１０ｄｅが一致するように、すなわち、両端縁１０ｃｅ，１０ｄｅの上端部１０ｃｕと１０ｄｕ、下端部１０ｃｄと１０ｄｄ、がそれぞれ一致するように、突合わせ状態で係合する。したがって、装飾体１０が、両端縁１０ｃｅ，１０ｄｅの継ぎ目が一層識別できない状態で円筒状を成すので、優れた美観を呈する。
【００２１】
なお、実施形態では、装飾体１０が全長に亘って均一の幅寸法を有する帯状に形成されることにより両端縁１０ｃｅ，１０ｄｅの幅寸法が同一にされた場合を示したが、装飾体１０の形状はこれに限られず、両端縁１０ｃｅ，１０ｄｅの幅寸法を同一にしつつ、その間の装飾体１０の中間部位をさまざまな形状に変更することも考えられる。また、装飾体１０の両端部１０ｃ，１０ｄにおけるそれぞれの端縁１０ｃｅ，１０ｄｅが突合わせ状態で係合するのであれば、継ぎ目が目立たないので、両端縁１０ｃｅ，１０ｄｅの幅寸法が相互に異なる形状に装飾体１０を形成してもよい。
【００２２】
さらに、図５に示す装飾体１０Ａのように、使用時に両端部１０ｃ，１０ｄが重なる態様で環状を成すように、一対の薄板状の磁石３１Ａ，３１Ａを、装飾体１０の一端部１０ｃと他端部１０ｄとが重なり状態で相互に吸着する態様で装飾体１０Ａに設けることとしてもよい。この場合でも、装飾体１０Ａの両端部１０ｃ，１０ｄ相互を係合させて環状にするための係合手段としての磁石３１Ａ，３１Ａが使用時に外側から視認されないので、ゴム紐３を隠しつつ、高い装飾性を発揮することができ、また、磁石３１Ａ，３１Ａは自然に相互に磁力吸着するので、使用者が後頭部で髪を束ねて結ぶ場合にも、容易に装着できる。
【００２３】
上述した実施形態では、磁石３１，３１，３１Ａ，３１Ａは、装飾体１０または装飾体１０Ａの両端部１０ｃ，１０ｄにおいて、被覆材２０及び裏被覆材２５に全面に亘って覆われて外側から視認されないように設けられたものを示した。しかしながら、磁石３１，３１，３１Ａ，３１Ａは、使用時に外側から視認されない態様で設けられれば足り、装飾体１０または装飾体１０Ａの両端部１０ｃ、１０ｄにおいて、非使用時に磁極面等の一部または全部が視認可能に配置され、磁力吸着する使用時には視認不可能となる構成としてもよい。
【００２４】
上述した実施形態では、環状ゴム紐３は、帯状の装飾体１０の幅方向の中央付近であって、長手方向の中央付近の位置において、内周面１０ｂに固定されるものとしたが、装飾体１０の長手方向におけるゴム紐３の固定位置はこれに限られず、装飾体１０の長手方向における両端部１０ｃ，１０ｄのいずれかに寄った位置としてもよい。
【００２５】
さらに、上述した実施形態では、装飾体１０の装飾面１５を、布帛製の被覆材２０から構成した場合を示したが、装飾面１５は他のさまざまな素材により構成可能である。
【符号の説明】
【００２６】
３  ・・・  ゴム紐
１０，１０Ａ  ・・・  装飾体
１０ｂ    ・・・  内周面
１０ｃ，１０ｄ  ・・・  両端部
１０ｃｅ，１０ｄｅ  ・・・  端縁
３１，３１Ａ  ・・・  磁石
Ｐ  ・・・  髪止め具
【図１】
0003209354.tif 000003
【図２】
0003209354.tif 000004
【図３】
0003209354.tif 000005
【図４】
0003209354.tif 000006
【図５】
0003209354.tif 000007
【図６】
0003209354.tif 000008